(57)【要約】【課題】ヘッダーから通水管を介して各水栓金具へ水又は湯等を分岐する配管システムにおいて、水栓金具の増設に対して容易に対応できるようにする。【解決手段】主管１から供給される水又は湯等の流体を複数の通水管５へ分岐するヘッダー２と、住宅内に形成された壁板２０の開口孔２１に臨ませて固定され、前記通水管５と水栓金具４とが接続される分岐栓７とを備え、該分岐栓７は通水管５が接続される入口側接続部１０と、水栓金具４へ流体を供給するための複数個の出口側接続部１２とを備えた。【選択図】  図１
2004324079.tif 000002
【特許請求の範囲】
【請求項１】
主管から供給される水又は湯等の流体を複数の通水管へ分岐するヘッダーと、住宅内に形成された壁板の開口孔に臨ませて固定され、前記通水管と水栓金具とが接続される分岐栓とを備え、該分岐栓は通水管が接続される入口側接続部と、水栓金具へ流体を供給するための複数個の出口側接続部とを設けたことを特徴とする配管システム。
【請求項２】
前記分岐栓は、出口側接続部の１つを壁板の開口孔に向かい合うように設け、別の出口側接続部は壁板の裏側に配置されるように設けたことを特徴とする請求項１記載の配管システム。
【請求項３】
前記分岐栓は、入口側接続部と出口側接続部とを左右に併設したことを特徴とする請求項１または請求項２記載の配管システム。
【請求項４】
前記壁板には、分岐栓を覆い隠すための保護部材が固定されるようにしたことを特徴とする請求項１乃至３の何れかに記載の配管システム。
【発明の詳細な説明】
【０００１】
【発明の属する技術分野】
本発明は、住宅内の洗面台，浴室，流し台，トイレ等に取り付けられた水栓金具に対し、水や湯等の流体を供給する配管システムに関するものである。
【０００２】
【従来の技術】
例えば、集合住宅，戸建住宅等において、洗面台，浴室，流し台，トイレ等の水栓金具へ給水，給湯配管の施工を行なう場合、水，湯の各ヘッダーを介して各水栓金具に水，湯を分岐するヘッダー工法が行なわれている。この例を図６により簡単に説明すると、例えば給水用のヘッダー４１は複数個の枝管４２が形成され、各枝管４２に夫々通水管４３を接続している。洗面台，浴室，流し台，トイレ等の各壁板４４には水栓ボックス４５が固定され、該水栓ボックス４５にはエルボ４６が収容されており、前記通水管４３の他端はエルボ４６に接続され、該エルボ４６は壁板４４の表側に水栓金具４７が接続される。従って、ヘッダー４１の枝管４２から分岐される水は、通水管４３及びエルボ４６を介して水栓金具４７へ供給されるものである。
【０００３】
このようなヘッダー工法によると、各通水管に接続される水栓金具を同時に使用しても、ヘッダーからの遠近に関係なく充分な吐水量を確保することができるものである。また、従来の金属管を用いた配管構造と比較して接続箇所を少なくすることができ、施工不良による漏水の発生する可能性が低く、しかも、水はヘッダーから各水栓金具へ分配するため、漏水等の点検はヘッダーのみを行なえばよく、メンテナンスを良好に行なうことができるものである。
【０００４】
【特許文献１】
特開平６−３３１０６２号公報
【発明が解決しようとする課題】
【０００５】
上記のようなヘッダー工法による配管システムでは、住宅に設けられる水栓金具の個数に合わせて、必要となる枝管が形成されたヘッダーを予め用意しておき、配管工事を行なう。例えば住宅に設けられる水栓金具が３個であれば、３個の枝管が形成されたヘッダーを用意し、水栓金具が５個であれば、５個の枝管が形成されたヘッダーを用意していた。
【０００６】
ところが、配管作業を終了した後に、新たに水栓金具を増設する必要が発生した場合は、例えば枝管を増加させたヘッダーと通水管等を新たに用意して取り替える必要があるが、ヘッダーが大型化すると設置スペースを確保することができなくなる場合があり、しかも、ヘッダーを交換するには大がかりな作業を必要とした。また、新たなヘッダーだけでなく、通水管及び接続部材等、多くの部材が必要となり、コストが高くつくものであった。そこで、例えばヘッダーとエルボとを接続する通水管の途中にチーズを取り付け、チーズに対し新たな水栓金具用の通水管を接続させることも考えられるが、ヘッダーは一般に、漏水の有無等の点検を容易に行なえるように点検口が設けられているのに対し、チーズはヘッダーとは離れた位置に取り付けられるため、点検を行なうことができなくなるという不都合があった。
【０００７】
この発明は、このような従来の技術に存在する問題点に着目したものであり、その目的は、ヘッダーから通水管を介して各水栓金具へ水又は湯等を分岐する配管システムにおいて、水栓金具の増設に対して容易に対応できるようにすることである。
【０００８】
【課題を解決するための手段】
本発明は請求項１の配管システムでは、主管から供給される水又は湯等の流体を複数の通水管へ分岐するヘッダーと、住宅内に形成された壁板の開口孔に臨ませて固定され、前記通水管と水栓金具とが接続される分岐栓とを備え、該分岐栓は通水管が接続される入口側接続部と、水栓金具へ流体を供給するための複数個の出口側接続部とを設けたものである。
【０００９】
請求項２の配管システムでは、前記分岐栓は、出口側接続部の１つを壁板の開口孔に向かい合うように設け、別の出口側接続部は壁板の裏側に配置されるように設けたものである。
【００１０】
請求項３の配管システムでは、前記分岐栓は、入口側接続部と出口側接続部とを左右に併設したものである。
【００１１】
請求項４の配管システムでは、前記壁板には、分岐栓を覆い隠すための保護部材が固定されるようにしたものである。
【００１２】
【発明の実施の形態】
以下、本発明の実施の形態を図に基づいて詳細に説明する。
本発明の配管システムは例えば一般の住宅等に適用できるものであり、給水側の配管と給湯側の配管とは同一であるので、給水側の配管についてのみ説明する。図１に示すように、建物の室内で床下空間Ａには給水源と接続している主管１が配管され、該主管１はヘッダー２に接続し、該ヘッダー２は主管１から供給される水を、建物の室内で所定位置に配置された流し台や洗面台や浴室等に取り付けられる各水栓金具４に分岐することができるものである。
【００１３】
前記ヘッダー２は床下空間Ａに収容され、前記主管１から供給される水を水栓金具４に分配するための枝管３が、長手方向に沿って所定の間隔で複数個形成され、各枝管３には通水管５が接続される。該通水管５は架橋ポリエチレン管，ポリブテン管等の、容易に屈曲させたり切断することのできる合成樹脂管であり、ヘッダー２と水栓金具４との間で、予め床下空間Ａ、壁裏空間Ｂ等に配設された蛇腹状の鞘管６内に挿通させて、該鞘管６により外部から保護されるものであり、ヘッダー２の枝管３と、水栓金具４が固定される分岐栓７とに両端が接続される。
【００１４】
前記分岐栓７は、ヘッダー２から通水管５を介して供給される水を水栓金具４へ分岐させることのできるものであり、図２及び図３に示すように、通水管５から供給される水の流路を分岐させることのできる本体部８と、ヘッダー２と離れた位置に立設した当て木１９に固定するための座板１３とを備えている。前記本体部８は内部に通水管５から供給される水が通過する給水路９が形成され、該給水路９は、通水管５を接続するための入口側接続部１０と、水栓金具４を接続するための第１出口側接続部１１と、ヘッダー配管を行なった後に住宅内に水栓金具を新たに増設する場合、増設する水栓金具と接続する通水管を接続するための第２出口側接続部１２とを設け、入口側接続部１０と第２出口側接続部１２とは、コンパクトになるように互いに左右に併設し、通水管５を接続するための管継手１５が装着されている。
【００１５】
前記管継手１５は共に同一構造であり、左右に隣り合い同一方向を向くようにして本体部８に装着され、通水管５が外嵌される円筒部１６と、該円筒部１６の外側から通水管５の外周面を挟着するリング１７とナット１８とが設けられ、合成樹脂製の通水管５は、ナット１８から奥に挿入すれば円筒部１６の外周に外嵌され、また、外周面がリング１７とナット１８とにより挟着され、抜けることがないように固定されるものである。そして、この分岐栓７は座板１３を当て木１９に固定した場合に、第１出口側接続部１１は当て木１９の前側に向き、入口側接続部１０と第２出口側接続部１２とは、当て木１９の下側を向くようにしている。
【００１６】
前記第２出口側接続部１２には、通常はキャップやプラグなどの盲蓋が装着されていて、水栓金具を新たに増設した場合には、盲蓋を外して管継手１５及び通水管５を接続できるようにしている。なお、第２出口側接続部の個数は、本実施例のように１つに限るものではなく複数個設け、複数個の水栓金具の増設に対応できるようにしてもよい。
【００１７】
前記分岐栓７の座板１３は、前記ヘッダー２と離れた位置で垂直方向に立設している当て木１９に対し、略水平方向に固定されるものであり、横長の長方形に形成され、左右及び上下の四隅には丸孔（図示省略）が穿設されており、該丸孔に対し第１ねじ１４を挿通して締め付けることで、分岐栓７は当て木１９に対し固定されるものである。
【００１８】
前記当て木１９に対し前後に壁裏空間Ｂを設けて壁板２０が立設される。該壁板２０の適宜の高さ位置には、分岐栓７と前後に向かい合うようにして略四角形の開口孔２１が穿設される。壁板２０には開口孔２１を前後から挟むようにして保護部材２２が固定される。該保護部材２２は、開口孔２１から壁板２０の表側の室内空間に露出する分岐栓７を覆い隠すことのできるものであり、壁板２０の表側から開口孔２１を挿通して壁裏空間Ｂへ位置させることのできるように、略コの字型に形成された第１枠板２３と、壁板２０の開口孔２１よりやや大型の略四角形に形成されており、略中央には分岐栓７の第１出口側接続部１１を挿通させることのできる挿通孔２６が穿設された第２枠板２５と、該第２枠板２５に対し表側に固定される支持板２９と、該支持板２９に着脱自在に装着されるカバープレート３１とを備えている。
【００１９】
前記第１枠板２３には、壁板２０の開口孔２１に対し前後に向かい合う一対の第１丸孔２４が左右に間隔を設けて穿設されている。前記第２枠板２５には第１枠板２３を固定するための第２丸孔２７が、前記両第１丸孔２４と同一の間隔を設けて左右及び上下に計４個穿設されている。従って、別に設けた固定用の各第２ねじ１４ａを、第２枠板２５の各第２丸孔２７に挿通して第１枠板２３の各第１丸孔２４に螺着することで、第１枠板２３と第２枠板２５とにより壁板２０を前後から挟着することができる。
【００２０】
さらに第２枠板２５には壁板２０の表側で支持板２９を固定するための第３丸孔２８が上下及び左右の四隅に穿設され、前記支持板２９には第３丸孔２８と前後に向かい合う位置に第４丸孔３０が上下及び左右の四隅に穿設されている。従って、第３ねじ１４ｂを支持板２９の第４丸孔３０に挿通して第２枠板２５の第３丸孔２８に螺着することで、支持板２９は第２枠板２５に固定される。そして、カバープレート３１は合成樹脂材からなり、適宜の係合手段を用いて支持板２９に対し着脱自在に装着されるものである。カバープレート３１は略中央よりやや上部に、分岐栓７の第１出口側接続部１１を挿通させることのできる貫通孔３２が穿設されており、支持板２９に対してカバープレート３１を装着することで、図４に示すように該カバープレート３１から表側には分岐栓７の第１出口側接続部１１の先端のみが露出する。前記水栓金具４は壁板２０の表側から分岐栓７の第１出口側接続部１１に装着されるようにしている。なお、以上のような保護部材２２は壁板２０から取り外せば、図５に示すように開口孔２１を通して分岐栓７が露出し、分岐栓７の管継手１５に接続されている通水管５の接続状態を点検し、漏水の有無等を確認することができる。
【００２１】
前記水栓金具４は、分岐栓７の第１出口側接続部１１へ固定される基部３３と、該基部３３の内部を通過する水の吐水、止水と流量調節とを行なうためのハンドル３４と、水を外部へ吐水するための吐水口３５とを備え、ハンドル３４を開弁方向に操作すれば、通水管５から分岐栓７へ供給される水は、吐水口３５から外部へ吐水させることができるものである。
【００２２】
このように壁板の壁孔に臨むようにして装着される分岐栓は、出口側接続部を複数個備えていれば、１つは最初から設けられている例えば流し台用の水栓金具に水を供給することができる。そして、例えばヘッダー配管を行なった後に、新たに住宅内に手洗器を設置し、該手洗器に水栓金具を増設した場合に、この分岐栓のもう一方の出口接続部に通水管を接続すれば、新たな手洗器用の水栓金具に対し水を供給することができる。従って、水栓金具の新たな増設に合わせてわざわざヘッダーを取り替えたりする必要がなく、分岐栓への通水管の接続のみで容易に対応することができる。しかも分岐栓の第２出口接続部は壁板の裏側に配置されるので、室内に露出して邪魔になったり、美観を損なうこともない。
【００２３】
なお、この実施例の分岐栓は、入口側接続部と第２出口側接続部とを左右に隣り合うように設け、通水管とは上下方向に接続するようにしているが、第２出口側接続部は例えば水平方向又は上方向等に向きを変えてもよい。
【００２４】
【発明の効果】
本発明は請求項１の配管システムによると、主管から供給される水又は湯等の流体を複数の通水管へ分岐するヘッダーと、住宅内に形成された壁板の開口孔に臨ませて固定され、前記通水管と水栓金具とが接続される分岐栓とを備え、該分岐栓は通水管が接続される入口側接続部と、水栓金具へ流体を供給するための複数個の出口側接続部とを設けたので、ヘッダー配管を行なった後の水栓金具の増設に対して、出口側接続部に対し通水管を接続するのみの対応で新たな水栓金具から流体を供給することができ、従来のようにヘッダーを新たに取り替える必要がなく、しかも水栓金具の増設に伴うコストを、従来と比較して低減することができるという優れた効果を奏する。
【００２５】
また、請求項２の配管システムによると、分岐栓は壁板の裏側の空間に水栓の増設用の接続部が配置されるので、壁板の表側はすっきりとして邪魔になることがなく、美観を損なうことがない。
【００２６】
さらに、請求項３の配管システムによると、分岐栓は入口側接続部と出口側接続部とを壁板の裏側で左右に併設したので、コンパクトに形成することができる。
【００２７】
そして、請求項４の配管システムによると、壁板には分岐栓を覆い隠すための保護部材が固定されるようにしたので、美観が向上するうえ、保護部材を外せば通水管の分岐栓への接続状態を確認し、漏水の有無等を容易に確認することができる。
【図面の簡単な説明】
【図１】本発明の配管システムの全体図である。
【図２】分岐栓の拡大説明図である。
【図３】壁板に臨む分岐栓の斜視図である。
【図４】保護部材を壁板に取り付けた状態の斜視図である。
【図５】保護部材を壁板から取り外した状態の斜視図である。
【図６】従来技術の説明図である。
【符号の説明】
１                主管
２                ヘッダー
４                水栓金具
５                通水管
７                分岐栓
１０              入口側接続部
１１              第１出口側接続部
１２              第２出口側接続部
２０              壁板
２１              開口孔
２２              保護部材
【図１】
2004324079.tif 000003
【図２】
2004324079.tif 000004
【図３】
2004324079.tif 000005
【図４】
2004324079.tif 000006
【図５】
2004324079.tif 000007
【図６】
2004324079.tif 000008